(57)【要約】【課題】コストの低い複数表示面を有する電子機器に組み込まれる電気光学パネル、電気光学装置、電気光学装置の製造方法及びこれを用いた電子機器を提供する。【解決手段】データ線駆動回路２７からの信号が供給されるデータ線２５と、走査線駆動回路２６からの信号が供給される走査線２４とを具備する第１液晶パネル２０であって、データ線２５はデータ線１５及び走査線１４を有する第２液晶パネル１０のデータ線１５と電気的に接続し、データ線１５にはデータ線駆動回路２７から信号が供給され、走査線２４は走査線１４と電気的に接続し、走査線１４には走査線駆動回路２６から信号が供給される。【選択図】    図２
2004271632.tif 000002
【特許請求の範囲】
【請求項１】
第１駆動回路からの信号が供給される第１配線と、第２駆動回路からの信号が供給される第２配線とを具備する第１電気光学パネルであって、
前記第１配線は第３配線及び第４配線を有する第２電気光学パネルの前記第３配線と電気的に接続し、前記第３配線には前記第１駆動回路から信号が供給され、
前記第２配線は前記第４配線と電気的に接続し、前記第４配線には前記第２駆動回路から信号が供給される
ことを特徴とする電気光学パネル。
【請求項２】
第１駆動回路と、
第２駆動回路と、
前記第１駆動回路からの信号が供給される第１配線と、前記第２駆動回路からの信号が供給される第２配線とを有する第１電気光学パネルと、
前記第１配線と電気的に接続し、前記第１配線を介して前記第１駆動回路から信号が供給される第３配線と、前記第２配線と電気的に接続し、前記第２配線と介して前記第２駆動回路から信号が供給される第４配線とを有する第２電気光学パネルと
を具備することを特徴とする電気光学装置。
【請求項３】
前記第１配線と前記第３配線とを電気的に接続する第１配線基板と
前記第２配線と前記第４配線とを電気的に接続する第２配線基板とを
更に具備することを特徴とする請求項２記載の電気光学装置。
【請求項４】
前記第１電気光学パネル及び前記第２電気光学パネルはそれぞれ表示面を有し、
前記第１配線及び前記第３配線はそれぞれ行方向に複数配置され、
前記表示面において前記複数の第１配線及び第３配線はそれぞれ左から順に互いが電気的に接続されていることを特徴とする請求項３または請求項４記載の電気光学装置。
【請求項５】
第１駆動回路と、第２駆動回路と、前記第１駆動回路か
らの信号が供給される第１配線と前記第２駆動回路からの信号が供給される第２配線とを有する複数の電気光学パネルとを具備する電気光学装置であって、
前記複数の電気光学パネルのうち１つの電気光学パネルの前記第１配線と前記第１駆動回路とが接続し、他の電気光学パネルの前記第１配線は前記１つの電気光学パネルの前記第１配線を介して前記第１駆動回路と電気的に接続しており、
前記１つの電気光学パネルの前記第２配線と前記第２駆動回路とが接続し、前記他の電気光学パネルの前記第２配線は前記１つの電気光学パネルの前記第２配線を介して前記第２駆動回路と電気的に接続していることを特徴とする電気光学装置。
【請求項６】
第１駆動回路と、第２駆動回路と、前記第１駆動回路からの信号が供給される第１配線と、前記第２駆動回路からの信号が供給される第２配線とを有する第１電気光学パネルと、第３配線と、第４配線とを有する第２電気光学パネルとを具備する電気光学装置の製造方法であって、
前記第３配線を前記第１配線と電気的に接続し、前記第４配線を前記第２配線と電気的に接続することを特徴とする電気光学装置の製造方法。
【請求項７】
第１駆動回路と、第２駆動回路と、前記第１駆動回路からの信号が供給される第１配線と前記第２駆動回路からの信号が供給される第２配線とを有する複数の電気光学パネルとを具備する電気光学装置の製造方法であって、
前記複数の電気光学パネルのうち１つの電気光学パネルの前記第１配線を前記第１駆動回路と接続し、他の電気光学パネルの前記第１配線を前記１つの電気光学パネルの前記第１配線を介して前記第１駆動回路と電気的に接続し、
前記１つの電気光学パネルの第２配線を前記第２駆動回路と接続し、前記他の電気光学パネルの第２配線を前記１つの電気光学パネルの第２配線を介して前記第２駆動回路と電気的に接続することを特徴とする電気光学装置の製造方法。
【請求項８】
請求項２から請求項５いずれか一項に記載の電気光学装置を備えた電子機器。
【発明の詳細な説明】
【０００１】
【発明の属する技術分野】
本発明は、複数表示面を有する電子機器に組み込まれる電気光学パネル及び電気光学装置、電気光学装置の製造方法及びこれを用いた電子機器に関する。
【０００２】
【従来の技術】
１つの電気光学装置内に複数の電気光学パネルとしての液晶パネルが設けられた電気光学装置では、各電気光学パネル毎に電気光学パネルを駆動する駆動回路が設けられている（例えば、特許文献１参照）。
【０００３】
【特許文献１】
特開２００１−４２２８４号（第２頁、
【図４】）。
【０００４】
【発明が解決しようとする課題】
しかしながら上述のような構造では、各電気光学パネル毎に駆動回路を設けているためコストがかかるという問題があった。
【０００５】
本発明は、以上の点に鑑みてなされたものであり、安価で、同じ表示内容または一部の表示内容が同じである表示面を複数有する電子機器に組み込まれる電気光学パネル及び電気光学装置、電気光学装置の製造方法及びこれを用いた電子機器を提供することを課題とする。
【０００６】
【課題を解決するための手段】
このような課題を解決するため、本発明は以下のような構成を採用している。
本発明の電気光学パネルは、第１駆動回路からの信号が供給される第１配線と、
第２駆動回路からの信号が供給される第２配線とを具備する第１電気光学パネルであって、前記第１配線は第３配線及び第４配線を有する第２電気光学パネルの前記第３配線と電気的に接続し、前記第３配線には前記第１駆動回路から信号が供給され、前記第２配線は前記第４配線と電気的に接続し、前記第４配線には前記第２駆動回路から信号が供給されることを特徴とする。
【０００７】
本発明のこのような第１電気光学パネルと他の第２電気光学パネルを組み合わせて用いる場合、第１駆動回路及び第２駆動回路から供給される信号を第１電気光学パネルと第２電気光学パネルとで共有することができる。これにより各電気光学パネル毎に駆動回路を設ける必要がないため、部品点数を減らすことができ、コストを削減することができる。
【０００８】
本発明の電気光学装置は、第１駆動回路と、第２駆動回路と、前記第１駆動回路からの信号が供給される第１配線と、前記第２駆動回路からの信号が供給される第２配線とを有する第１電気光学パネルと、前記第１配線と電気的に接続し、前記第１配線を介して前記第１駆動回路から信号が供給される第３配線と、前記第２配線と電気的に接続し、前記第２配線と介して前記第２駆動回路から信号が供給される第４配線とを有する第２電気光学パネルとを具備することを特徴とする。
【０００９】
本発明のこのような構成によれば、第１駆動回路及び第２駆動回路から供給される信号を第１電気光学パネルと第２電気光学パネルとで共有することができる。
これにより各電気光学パネル毎に駆動回路を設ける必要がないため、部品点数を減らすことができ、コストを削減することができる。
【００１０】
また、前記第１配線と前記第３配線とを電気的に接続する第１配線基板と前記第２配線と前記第４配線とを電気的に接続する第２配線基板とを更に具備することを特徴とする。
【００１１】
このように２枚の電気光学パネル間の電気的接続を配線基板を用いることができる。
【００１２】
また、前記第１電気光学パネル及び前記第２電気光学パネルはそれぞれ表示面を有し、前記第１配線及び前記第３配線はそれぞれ行方向に複数配置され、前記表示面において前記複数の第１配線及び第３配線はそれぞれ左から順に互いが電気的に接続されていることを特徴とする。
【００１３】
このような構成によれば、第１電気光学パネルの表示面と第２電気光学パネルの表示面それぞれに表示される画像が反転することなく同じ画像を表示することができる。
【００１４】
また、前記第１配線基板は１回捩じった状態で第１電気光学パネル及び第２電気光学パネルに接続される。
【００１５】
このように、互いに平行な配線が設けられた第１配線基板を１回捩じって接続することにより、第１配線及び第３配線は表示面においてそれぞれ左から順に互いが第１配線基板上の配線を介して電気的に接続される。これにより第１電気光学パネルの表示面と第２電気光学パネルの表示面それぞれに表示される画像が反転することなく同じ画像を表示することができる。
【００１６】
本発明の電気光学装置は、第１駆動回路と、第２駆動回路と、前記第１駆動
回路からの信号が供給される第１配線と前記第２駆動回路からの信号が供給される第２配線とを有する複数の電気光学パネルとを具備する電気光学装置であって前記複数の電気光学パネルのうち１つの電気光学パネルの前記第１配線と前記第１駆動回路とが接続し、他の電気光学パネルの前記第１配線は前記１つの電気光学パネルの前記第１配線を介して前記第１駆動回路と電気的に接続しており、前記１つの電気光学パネルの前記第２配線と前記第２駆動回路とが接続し、前記他の電気光学パネルの前記第２配線は前記１つの電気光学パネルの前記第２配線を介して前記第２駆動回路と電気的に接続していることを特徴とする。
【００１７】
本発明のこのような構成によれば、第１駆動回路及び第２駆動回路から供給される信号を２つ以上の電気光学パネルで共有することができる。これにより各電気光学パネル毎に駆動回路を設ける必要がないため、部品点数を減らすことができ、コストを削減することができる。
【００１８】
本発明の電気光学装置の製造方法は、第１駆動回路と、第２駆動回路と、前記第１駆動回路からの信号が供給される第１配線と、前記第２駆動回路からの信号が供給される第２配線とを有する第１電気光学パネルと、第３配線と、第４配線とを有する第２電気光学パネルと、を具備する電気光学装置の製造方法であって、前記第３配線を前記第１配線と電気的に接続し、前記第４配線を前記第２配線と電気的に接続することを特徴とする。
【００１９】
本発明のこのような構成によれば、第１駆動回路及び第２駆動回路から供給される信号を第１電気光学パネルと第２電気光学パネルとで共有することができる。
これにより各電気光学パネル毎に駆動回路を設ける必要がないため、部品点数を減らすことができ、コストを削減することができる。
【００２０】
本発明の電気光学装置の製造方法は、第１駆動回路と、第２駆動回路と、前記第１駆動回路からの信号が供給される第１配線と前記第２駆動回路からの信号が供給される第２配線とを有する複数の電気光学パネルとを具備する電気光学装置の製造方法であって、前記複数の電気光学パネルのうち１つの電気光学パネルの前記第１配線を前記第１駆動回路と接続し、他の電気光学パネルの前記第１配線を前記１つの電気光学パネルの前記第１配線を介して前記第１駆動回路と電気的に接続し、前記１つの電気光学パネルの第２配線を前記第２駆動回路と接続し、前記他の電気光学パネルの第２配線を前記１つの電気光学パネルの第２配線を介して前記第２駆動回路と電気的に接続することを特徴とする。
【００２１】
本発明のこのような構成によれば、第１駆動回路及び第２駆動回路から供給される信号を２つ以上の電気光学パネルで共有することができる。これにより各電気光学パネル毎に駆動回路を設ける必要がないため、部品点数を減らすことができ、コストを削減することができる。
【００２２】
本発明の電子機器は、上述に記載の電気光学装置を備えることを特徴とする。
【００２３】
本発明のこのような構成によれば、安価に、複数表示面を有する電子機器を得ることができる。
【発明の実施の形態】
（電気光学パネル及び電気光学装置）
以下、本発明の一実施形態である電気光学パネル及び電気光学装置について図１〜図５を用いて説明する。
【００２４】
図１は、後述する電子機器に組み込まれる２つの電気光学パネルとしての液晶パネルを有する電気光学装置としての液晶装置の概略断面図である。本実施形態においては透過型のＴＦＤ素子を有するアクティブマトリクス型液晶パネルを例にあげて説明している。図２は、図１の液晶装置の２つの液晶パネルの構造をわかりやすく説明するための概略分解平面図である。図２において各種配線は実線で示している。図３は図１の液晶装置を構成する一方の液晶パネルの概略斜視図であり、図４はもう一方の液晶パネルの概略斜視図である。図３及び図４において、実際には見えない配線は点線及び一点鎖線で図示し、見える配線は実線で図示している。図５（ａ）は第１配線基板の概略平面図であり、図５（ｂ）は図５（ａ）の線Ａ−Ａ´で切断した断面図である。
【００２５】
図１および図２に示すように、液晶装置１は第１液晶パネル２０とこれと隣り合う第２液晶パネル１０とを有し、それぞれの液晶パネルの表示面２０ａ及び１０ａと対向する面２０ｂ及び１０ｂ同士とが隣り合うように配置されている。すなわち表示面２０ａおよび１０ａ  が液晶装置１の両面に位置し、図１に示すように矢印方向Ａ及びＢから表示が視認可能となっている。液晶装置１において、第１液晶パネル２０と第２液晶パネル１０とは第１配線基板３０および第２配線基板６０により電気的に接続され、第１液晶パネル２０と回路基板５０とは電気的に接続されている。第１液晶パネル２０及び第２液晶パネル１０それぞれの表示面と対向する面２０ｂ及び１０ｂ側にはバックライト４０が設けられている。バックライト４０は、光源４１と、導光板４１とを有する。本実施形態においては、第１液晶パネル１０の表示面１０ａと第２液晶パネル２０の表示面２０ａには同じ内容が表示される。
【００２６】
図１〜図３に示すように、第１液晶パネル２０は矩形状の第１基板２２と、矩形状の第２基板２１と、これら２枚の基板を貼りあわせるシール材１３と、２枚の基板とシール材１３により囲まれた領域に挟持された液晶１６と、貼り合わされた２枚の基板を挟み込むように設けられた一対の偏光板８を有している。第１基板２２は互いに向かい合う２辺が第２基板２１よりも突き出した第１突き出し部２２ａ及び第２突き出し部２２ｂを有している。第２基板２１は、第１突き出し部２２ａ及び第２突き出し部２２ｂが位置する辺と直交する辺が第１基板２２よりも突き出した第３突き出し部２１ａを有している。第１基板２２上には、行方向に並んだ複数の第１配線としてのデータ線２５（２５ａ〜２５ｅ）、データ線２５に電気的に接続する複数のＴＦＤ素子２３５及び各ＴＦＤ素子２３５に電気的に接続する画素電極（図示せず）が設けられている。第１基板２２の第１突き出し部２２ａには、データ線２５が延在してなる第１引出し線２９、データ線２５と同層で形成され後述する走査線２４と電気的に接続する第２引出し線１２９、データ線２５と同層で形成された第１端子部２３及び第２端子部１２３とが設けられている。第１基板２２の第１突き出し部２２ａ上には第１駆動回路としてのデータ線駆動回路２７及び第２駆動回路としての走査線駆動回路２６が実装されている。データ線駆動回路２７は第１引出し線２９および第１端子部２３と電気的に接続し、走査線駆動回路２６は第２引出し線１２９および第２端子部２６と電気的に接続している。第１端子部２３および第２端子部１２３は回路基板５０と電気的に接続している。第１基板２２の第２突き出し部２２ｂには、データ線２５が延在してなるデータ線２５とほぼ平行な第３引出し線２８が設けられている。この第３引出し線２８は第１配線基板３０と電気的に接続される。また、第３引出し線２８はデータ線２５とほぼ平行に形成されているため、データ線２５と第１配線基板３０とを結ぶ引き出し線２８の長さを短くすることができ、第２液晶パネル１０のデータ線１５への信号の供給の遅延を抑制することができる。第２基板２１上には、データ線２５と直交するように列方向に並んだ複数の第２配線としての走査線２４が設けられている。走査線２４は、第１基板２２上の１辺に沿って配設され更に第１突き出し部２２ａまで延びた第２引出し線１２９と、２枚の基板２１及び２２間に設けられた導通材３８によって電気的に接続されている。ここでは図示を省略しているが、例えば導通材３８は２枚の基板を貼りあわせるシール材中に配置される。第２基板２１の第３突き出し部２１ａには走査線２４が延在してなる第４引出し線１２８が設けられており、この第４引出し線１２８は第２配線基板６０と電気的に接続する。第１液晶パネル２０においては、走査線２４と画素電極との交差領域において液晶を駆動させることによって表示が行われ、図２において一点鎖線で囲まれた領域が表示領域３６となる。尚、図３において、第２基板２１上に形成される配線は一点鎖線、第１基板２２上に形成される配線は点線または実線で示している。
【００２７】
図１、図２及び図４に示すように、第２液晶パネル１０は、矩形状の第３基板１２と、矩形状の第４基板１１と、これら２枚の基板を貼りあわせるシール材１３と、２枚の基板とシール材１３により囲まれた領域に挟持された液晶１６と、貼り合わされた２枚の基板を挟み込むように設けられた一対の偏光板８を有している。第３基板１２は第４基板２１よりも突き出した第４突き出し部１２ａを有している。第４基板１１は、第４突き出し部１２ａが位置する辺と直交する辺が第３基板１２よりも突き出した第５突き出し部１１ａを有している。第３基板１２上には、行方向に並んだ複数の第３配線としてのデータ線１５（１５ａ〜１５ｅ）、データ線１５に電気的に接続する複数のＴＦＤ素子２３５及び各ＴＦＤ素子２３５に電気的に接続する画素電極（図示せず）が設けられている。第３基板１２の第４突き出し部１２ａには、データ線１５が延在してなるデータ線１５とほぼ平行な第５引出し線１８が設けられている。この第５引出し線１８は第１配線基板３０と電気的に接続される。第４基板１１上には、データ線１５と直交するように列方向に並んだ複数の第４配線としての走査線１４が設けられている。第４基板１１の第５突き出し部１１ａには、走査線１４が延在した第６引出し配線１７が設けられ、この第６引出し配線１７は第２配線基板６０と電気的に接続している。第２液晶パネル１０においては、走査線１４と画素電極との交差領域において液晶を駆動させることによって表示が行われ、図２において一点鎖線で囲まれた領域が表示領域３７となる。尚、図４において、第２基板１１上に形成される配線は一点鎖線、第１基板１２上に形成される配線は点線または実線で示している。
【００２８】
本実施形態においては、第１液晶パネル２０及び第２液晶パネル１０は、走査線及びデータ線の数がそれぞれ同じである。第１液晶パネル２０の走査線２４は第２液晶パネル１０の走査線１４と第２配線基板６０を介して電気的に接続され、走査線２４は第２引出し線１２９を介して走査線駆動回路２６と電気的に接続される。これにより走査線２４には走査線駆動回路２６から信号が供給され、この信号と同じ信号が走査線駆動回路２６から走査線２４を介して走査線１４に供給されることとなる。また、第１液晶パネル２０のデータ線２５は第２液晶パネル１０のデータ線１５と第１配線基板３０を介して電気的に接続され、データ線２５は第１引出し線２９を介してデータ線駆動回路２７と電気的に接続される。これによりデータ線２５にはデータ線駆動回路２７から信号が供給され、この信号と同じ信号がデータ線駆動回路２７からデータ線２５を介してデータ線１５に供給されることとなる。従って、第１液晶パネル２０と第２液晶パネル１０のそれぞれの表示面２０ａ及び１０ａには同じ内容が表示される。
【００２９】
図２及び図５に示すように第１配線基板３０は、フレキシブル基材３１と、フレキシブル基材３１の一方の面上に配置された互いに平行な配線３２（３２ａ〜３２ｅ）とからなる。配線３２（３２ａ〜３２ｅ）は、第１導電層３４（３４ａ〜３４ｅ）と、フレキシブル基材３１に設けられた導通部３３と、フレキシブル基材３１の他方の面上に設けられた第２導電層３５（３５ａ〜３５ｅ）とを有する。第１導電層３４（図５（ａ）上、点線で図示）と第２導電層３５（図５（ａ）上、実線で図示）とは導通部３３を介して電気的に接続されている。これにより第１配線基板３０において、配線３２はその両端がそれぞれ異なる面上に配置される構造をとる。本実施形態においては、液晶装置１の表示面１０ａと２０ａとは対向した面に位置するため、図１及び図２に示すように、第１配線基板３０を１回捩じらせた状態でそれぞれの液晶パネルに接続している。これにより第１液晶パネル２０のデータ線２５ａは配線３２ａを介して第２液晶パネル１０のデータ線１５ａに、同様にデータ線２５ｂ（２５ｃ、２５ｄ、２５ｅ）は配線３２ｂ（３２ｃ、３２ｄ、３２ｅ）を介してデータ線１５ｂ（１５ｃ、１５ｄ、１５ｅ）に電気的に接続する。従って、各液晶パネルの表示面１０ａ及び２０ａが手前側に位置するように図示されている図２に示すように、それぞれの表示領域３６及び３７において、同じ位置に同一の信号が供給されるデータ線が位置することとなる。言い換えると、表示面１０ａ及び２０ａにおいて、データ線２５及び１５はそれぞれ左から順に互いが電気的に接続された状態となっている。尚、図２においては第１配線基板３０上の配線３２を実線で図示しているが、実際には各液晶パネル１０及び２０と接する面側に配線３２の両端がそれぞれ位置するように第１配線基板３０は配置される。
【００３０】
尚、本実施形態においては第１配線基板３０を捩じらせた状態で接続したが、例えば配線基板を図６に示すような構造とすることにより配線基板を捩じらせることなく接続することもできる。以下に、図６を用いて配線基板の変形例について説明する。図６（ａ）は配線基板の概略平面図であり、図６（ｂ）は図６（ａ）の線Ｂ−Ｂ´で切断した概略断面図である。図６に示すように変形例の配線基板１３０は、フレキシブル基材１３１と、フレキシブル基材１３１上に配置された配線１３６（１３６ａ〜１３６ｅ）とからなる。配線１３６（１３６ａ〜１３６ｅ）は、第１導電層１３２（１３２ａ〜１３２ｅ）と、第１導電層１３２上に設けられた導通部１３３を有する絶縁膜１３５と、絶縁膜１３５上に設けられた第２導電層１３４（１３４ａ〜１３４ｅ）とを有する。第１導電層１３２（図６（ａ）上、点線で図示）と第２導電層１３４（図６（ｂ）上、実線で図示）とは導通部１３３を介して電気的に接続されている。図６に示すように、配線１３６を３層構造とすることにより、配線基板１３０の一端側に位置する第１導電層１３２は、左から順に１３４ｅ、１３４ｄ、１３４ｃ、１３４ｂ、１３４ａというように配置されているが、これらの第１導電層１３２それぞれが電気的に接続する第２導電層１３４は配線基板１３０の他端側で右から順に配置されることとなる。また、図６に示す構造では配線１３６の両端部はフレキシブル基材１３１の一方の面に配置される。従って、図１に示すように２つの液晶パネル１０及び２０を背中合わせに配置した際、図６に示す構造の配線基板を用いることにより配線基板を捩じることなく接続できるので、配線基板に無理な応力がかからず配線の短絡発生などを防止することができる。
【００３１】
図１及び図２に示すように、回路基板５０は、基材５３と、基材５３上に実装された電源回路５１及び制御回路５２を有する。制御回路５２は、データ線駆動回路２７及び走査線駆動回路２６に対して各種制御信号、クロック信号などを供給するものである。電源回路５１は液晶パネルに用いられる電圧を生成するものであり、生成された電圧は制御回路５２、データ線駆動回路２７及び走査線駆動回路２６に供給される。
【００３２】
以上のように、本実施形態では、第１液晶パネル２０と第２液晶パネル１０とは、電源回路５１、制御回路５２、走査線駆動回路２６及びデータ線駆動回路２７といった表示にかかわる信号を生成する回路を共有している。従って、２つの液晶パネルそれぞれに駆動回路を設ける必要がないため、部品点数を減らすことができるのでコストを低く抑えることができ、また液晶装置全体の大きさを小さくすることができる。尚、上述では説明をわかりやすくするために信号線や走査線などの配線の数を実際よりも少なくしている。
【００３３】
上述の実施形態においては、２つの液晶パネルを用いた液晶装置について説明したが、３つ以上の液晶パネルを用いて３つ以上の同じ表示面を有する液晶装置に適用することも可能である。以下に、３つの液晶パネルを用いた場合について図７を用いて説明する。尚、上述の実施形態と同様の構成については同じ符号を付し説明を省略する。
【００３４】
図７は、液晶装置１１０の３つの液晶パネルの構造をわかりやすく説明するための概略分解平面図である。図において各種配線は実線で示している。
【００３５】
図７に示すように、液晶装置１１０は３つの第１液晶パネル２０、第２液晶パネル７０及び第３液晶パネル８０を有している。いずれの液晶パネルも表示面が手前側に位置するように図示されている。各液晶パネルはそれぞれのデータ線及び走査線が互いに第１配線基板３０及び第２配線基板６０によって電気的に接続されている。
【００３６】
第１液晶パネル２０は上述の第１液晶パネル２０と同じ構成のためここでは説明を省略する。尚、図７では回路基板及びＴＦＤ素子の図示は省略し、配線の本数も少なくしている。
【００３７】
第２液晶パネル７０は、矩形状の基板７２と、矩形状の基板７１と、これら２枚の基板を貼りあわせるシール材と、２枚の基板とシール材により囲まれた領域に挟持された液晶と、貼り合わされた２枚の基板を挟み込むように設けられた一対の偏光板を有している。基板７２は対向する辺において基板７１よりも突き出した突き出し部７２ａ及び７２ｂを有している。基板７１は、突き出し部７２ａ及び７２ｂが位置する辺と直交する辺において基板７２よりも突き出した突き出し部７１ａ及び７１ｂを有している。基板７２上には、行方向に並んだ複数の第１配線としてのデータ線７５、データ線７５に電気的に接続する複数のＴＦＤ素子（図示せず）及び各ＴＦＤ素子に電気的に接続する画素電極（図示せず）が設けられている。基板７２の突き出し部７２ａには、データ線７５が延在してなるデータ線７５とほぼ平行な引出し線７９が設けられている。この引出し線７９は、第３液晶パネル８０と電気的に接続する第１配線基板３０と電気的に接続される。基板７２の突き出し部７２ｂには、データ線７５が延在してなるデータ線７５とほぼ平行な引出し線７８が設けられている。この引出し線７８は、第１液晶パネル２０と電気的に接続する第１配線基板３０と電気的に接続される。基板７１上には、データ線７５と直交するように列方向に並んだ複数の第２配線としての走査線７４が設けられている。基板７１の突き出し部７１ａ及び７１ｂには、走査線７４が延在した引出し配線７６及び７７が設けられ、この引出し配線７６及び７７はそれぞれ第３液晶パネル８０と電気的に接続する第２配線基板６０及び第１液晶パネル２０と電気的に接続する第２配線基板６０と電気的に接続している。
【００３８】
第３液晶パネル８０は、矩形状の基板８２と、矩形状の基板８１と、これら２枚の基板を貼りあわせるシール材と、２枚の基板とシール材により囲まれた領域に挟持された液晶と、貼り合わされた２枚の基板を挟み込むように設けられた一対の偏光板を有している。基板８２は基板８１よりも突き出した突き出し部８２ａを有している。基板８１は、突き出し部８２ａが位置する辺と直交する辺が基板８２よりも突き出した突き出し部８１ａを有している。基板８２上には、行方向に並んだ複数の第１配線としてのデータ線８５、データ線８５に電気的に接続する複数のＴＦＤ素子（図示せず）及び各ＴＦＤ素子に電気的に接続する画素電極（図示せず）が設けられている。基板８２の突き出し部８２ａには、データ線８５が延在してなるデータ線８５とほぼ平行な引出し線８９が設けられている。この引出し線８９は第１配線基板３０と電気的に接続される。基板８１上には、データ線８５と直交するように列方向に並んだ複数の第２配線としての走査線８４が設けられている。基板８１の突き出し部８１ａには、走査線８４が延在した配線８７が設けられ、この引出し配線８７は第２配線基板６０と電気的に接続している。
【００３９】
図７の構造においても、第１液晶パネル２０、第２液晶パネル７０及び第３液晶パネル８０は、走査線及びデータ線の数がそれぞれ同じである。第１液晶パネル２０の走査線２４は第２液晶パネル７０の走査線７４と第２配線基板６０を介して電気的に接続され、更に第２液晶パネル７０の走査線７４は第３液晶パネル８０の走査線８４と第２配線基板６０を介して電気的に接続される。走査線２４は第２引出し線１２９を介して走査線駆動回路２６と電気的に接続される。これにより走査線２４には走査線駆動回路２６から信号が供給され、この信号と同じ信号が走査線駆動回路２６から走査線２４を介して走査線７４に、更に走査線２４及び７４を介して走査線８４に供給されることとなる。また、第１液晶パネル２０のデータ線２５は第２液晶パネル７０のデータ線７５と第２配線基板６０を介して電気的に接続され、更に第２液晶パネル７０のデータ線７５は第３液晶パネル８０のデータ線８５と第２配線基板６０を介して電気的に接続される。データ線２５は第１引出し線２９を介してデータ線駆動回路２７と電気的に接続される。これによりデータ線２５にはデータ線駆動回路２７から信号が供給され、この信号と同じ信号がデータ線駆動回路２７からデータ線２５を介してデータ線７５に、更にデータ線２５及び７５を介してデータ線８５に供給されることとなる。図７の構造においても、上述の実施形態と同様に第１配線基板３０は、１回捩じられた状態でそれぞれの液晶パネルに接続されている。これによりそれぞれの液晶パネルの表示領域において、同じ位置に同一の信号が供給されるデータ線が位置することとなる。従って、第１液晶パネル２０、第２液晶パネル７０及び第３液晶パネル８０のそれぞれの表示面には同じ内容が表示される。
【００４０】
このように、３つ以上の液晶パネルを設ける場合においても本発明を適用することができ、各液晶パネルに供給される信号を生成する回路を共有することができる。従って、部品点数を減らすことができるので、コストを低く抑えることができ、液晶装置全体の大きさを小さくすることができる。
【００４１】
また、上述の実施形態においては各液晶パネルの表示領域の大きさが同じであるが、各液晶パネルの表示領域の大きさを異なる構造としても良く、以下に図８を用いて説明する。
【００４２】
図８は、液晶装置２０１の２つの液晶パネルの構造をわかりやすく説明するための概略分解平面図であり、各種配線は実線で示している。尚、上述の実施形態と同様の構成については同じ符号を付し説明を省略する。また、図８では回路基板及びＴＦＤ素子の図示は省略している。
【００４３】
図８に示すように、液晶装置２０１は２つの大きさが異なる第１液晶パネル２２０と第２液晶パネル２１０を有している。図８では、いずれの液晶パネルも表示面が手前側に位置するように図示されている。
【００４４】
第１液晶パネル２２０は、矩形状の基板２２２と、矩形状の基板２２１と、これら２枚の基板を貼りあわせるシール材と、２枚の基板とシール材により囲まれた領域に挟持された液晶と、貼り合わされた２枚の基板を挟み込むように設けられた一対の偏光板を有している。基板２２２は対向する辺において基板２２１よりも突き出した突き出し部２２２ａ及び２２２ｂを有している。基板２２１は、突き出し部２２２ａ及び２２２ｂが位置する辺と直交する辺において基板２２２よりも突き出した突き出し部２２１ａを有している。基板２２２上には、行方向に並んだ複数（図面では５本）のデータ線２２５、データ線２２５に電気的に接続する複数のＴＦＤ素子（図示せず）及び各ＴＦＤ素子に電気的に接続する画素電極（図示せず）が設けられている。基板２２２の突き出し部２２２ａにはデータ線駆動回路２７が実装され、データ線駆動回路２７はデータ線２２５が延在してなる引き出し線２２９と電気的に接続されている。更に、基板２２２の突き出し部２２２ａには走査線駆動回路２６が実装され、走査線駆動回路２６はデータ線２２５と同層で形成された引出し線３２９と電気的に接続されている。引き出し線３２９は、２枚の基板間に配置される導通材によって後述する走査線２２４と電気的に接続されている。基板２２２の突き出し部２２２ｂには、データ線２２５の一部（図面ではは３本）が延在してなるデータ線２２５とほぼ平行な引出し線２２８が設けられている。この引出し線２２８は第１配線基板２３０と電気的に接続される。基板２２１上には、データ線２２５と直交するように列方向に並んだ複数の走査線２２４が設けられている。基板２２１の突き出し部２２１ａには、走査線２２４が延在した引出し線３２８が設けられ、この引出し配線３２８は第２液晶パネル２１０と電気的に接続する第２配線基板２６０と電気的に接続している。第１液晶パネル２２０においては、走査線２２４と画素電極が交差する領域で液晶を駆動することにより表示が行われる。図８において一点鎖線で囲まれた領域が第１液晶パネル２２０の表示領域２３６となる。
【００４５】
第２液晶パネル２１０は、矩形状の基板２１２と、矩形状の基板２１１と、これら２枚の基板を貼りあわせるシール材と、２枚の基板とシール材により囲まれた領域に挟持された液晶と、貼り合わされた２枚の基板を挟み込むように設けられた一対の偏光板を有している。基板２１２は基板２１１よりも突き出した突き出し部２１２ａを有している。基板２１１は、突き出し部２１２ａが位置する辺と直交する辺が基板２１２よりも突き出した突き出し部２１１ａを有している。基板２１２上には、行方向に並んだ複数（ここでは３本）のデータ線２１５、データ線２１５に電気的に接続する複数のＴＦＤ素子及び各ＴＦＤ素子に電気的に接続する画素電極（図示せず）が設けられている。基板２１２の突き出し部２１２ａには、データ線２１５が延在してなるデータ線２１５とほぼ平行な引出し線２１８が設けられている。この引出し線２１８は第１配線基板２３０と電気的に接続される。基板２１１上には、データ線２１５と直交するように列方向に並んだ複数（ここでは３本）の走査線２１４が設けられている。基板２１１の突き出し部２１１ａには、走査線２１４が延在した引き出し配線２１７が設けられ、この引出し配線２１７は第２配線基板２６０と電気的に接続している。第１液晶パネル２１０においては、走査線２１４と画素電極が交差する領域で液晶を駆動することにより表示が行われる。図８において点線で囲まれた領域が第２液晶パネル２１０の表示領域２３７となる。
【００４６】
第１配線基板２３０はフレキシブル基材２３１と配線２３２とを有し、上述の配線基板３０と同様に、配線の両端部が異なる面に位置するように形成され、１回捩じった状態で２つの液晶パネルに接続されている。これにより第１液晶パネル２２０の一部の表示領域２３８と第２液晶パネルの表示領域３２７とでは、同じ位置に同一の信号が供給されるデータ線が位置することとなる。
【００４７】
第２配線基板２６０はフレキシブル基材２６２と配線２６１とを有し、上述の配線基板６０と配線の数が異なる点でのみ異なる。
【００４８】
第１液晶パネル２２０と第２液晶パネル２１０とは、走査線及びデータ線の数がそれぞれ異なる。第１液晶パネル２２０の走査線２２４の一部は第２液晶パネル２１０の走査線２１４と第２配線基板２６０を介して電気的に接続される。走査線２２４は引き出し線３２９を介して走査線駆動回路２６と電気的に接続される。これにより走査線２２４には走査線駆動回路２６から信号が供給され、走査線２２４の一部に供給される信号と同じ信号が走査線駆動回路２６から走査線２２４を介して走査線２１４に供給されることとなる。また、第１液晶パネル２２０のデータ線２２５の一部は第２液晶パネル２１０のデータ線２１５と第２配線基板２６０を介して電気的に接続される。データ線２２５は引出し線２２９を介してデータ線駆動回路２７と電気的に接続される。これによりデータ線２２５にはデータ線駆動回路２７から信号が供給され、データ線２２５の一部に供給される信号と同じ信号がデータ線駆動回路２７からデータ線２２５を介してデータ線２１５に供給されることとなる。これにより、表示領域２３７には、第１液晶パネル２１０の点線で囲まれた領域２３８に表示される内容と同じ内容が表示される。
【００４９】
このように、走査線及びデータ線の数が異なる液晶パネルを設ける場合においても本発明を適用することができ、各液晶パネルに供給される信号を生成する回路を異なる液晶パネル同士で共有することができる。従って、部品点数を減らすことができるので、コストを低く抑えることができる。
（電子機器）
次に上述の２つの液晶パネルを備えた液晶装置１または３つの液晶パネルを備えた液晶装置１１０を電子機器に組み込んだ場合について図９を用いて説明する。
【００５０】
図９（ａ）は電子機器の一実施形態であり、例えば飲食店などの店頭に置かれるメニューを表示する看板１００である。この看板１００は２つの表示面１００ａ及び１００ｂを有しており、例えば上述の液晶装置１を組み込むことによって２つの表示面に同一の表示を行うことができる。
【００５１】
図９（ｂ）は電子機器の一実施形態であり、例えば飲食店などのメニューを表示する表示装置１０１である。この表示装置１０１は３つの表示面１０１ａ、１０１ｂ及び１０１ｃを有し、例えば上述の液晶装置１１０を組み込むことによって３つの表示面に同一の表示を行うことができる。
【００５２】
図９（ｃ）は電子機器の一実施形態であり、時刻を表示する時計１０２である。この時計１０２は２つの表示面１０２ａ及び１０２ｂを有し、例えば上述の液晶装置１を組み込むことによって、時計の数字や針を液晶表示させ、２つの表示面に同一の表示を行うことができる。
【００５３】
この他にも電車内の広告や運行状況を知らせる表示装置など、同じ内容または一部が同じ内容を複数表示する場合に本発明を適用することができる。
【００５４】
本実施形態においては、電気光学パネルとしてＴＦＤ素子を有する透過型アクティブマトリクス型液晶パネルを例にあげて説明しているがこれに限定されるものではない。例えば、ＴＦＴ素子などの他の素子を有するアクティブマトリクス型液晶パネルや単純マトリクス型の液晶パネル、反射型液晶パネルや半透過半反射型液晶パネルにも適用できることは言うまでもない。
【００５５】
本実施形態においては、電気光学装置として液晶装置を例にあげたが、これに限定されるものでなく、エレクトロルミネッセンス装置、プラズマディスプレイ装置、ＦＥＤ（フィールドエミッションディスプレイ）装置、ＬＥＤ（発光ダイオード）表示装置、電気泳動表示装置などの各種の電気光学装置に適用できる。
【図面の簡単な説明】
【図１】実施形態に係る液晶装置の概略断面図である。
【図２】実施形態に係る液晶装置の部分分解平面図である。
【図３】第１液晶パネルの概略斜視図である。
【図４】第２液晶パネルの概略斜視図である。
【図５】第１配線基板の平面図及び断面図である。
【図６】配線基板の変形例である。
【図７】他の実施形態に係る液晶装置の部分分解平面図である。
【図８】更に他の実施形態に係る液晶装置の部分分解平面図である。
【図９】電子機器の実施形態である。
【符号の説明】
１、１１０、２０１・・・液晶装置、１０、３０、２１０・・・第２液晶パネル、１０ａ、２０ａ・・・表示面、２０、２２０・・・第１液晶パネル、１４、２４、７４、８４、２１４、２２４・・・走査線、１５、２５、７５、８５、２１５、２２５・・・データ線、２６・・・走査線駆動回路、２７・・・データ線駆動回路、３０、２３０・・・第１配線基板、６０、２６０・・・第２配線基板、８０・・・第３液晶パネル、１００・・・看板、１０１・・・表示装置、１０２・・・時計、１３０・・・配線基板
【図１】
2004271632.tif 000003
【図２】
2004271632.tif 000004
【図３】
2004271632.tif 000005
【図４】
2004271632.tif 000006
【図５】
2004271632.tif 000007
【図６】
2004271632.tif 000008
【図７】
2004271632.tif 000009
【図８】
2004271632.tif 000010
【図９】
2004271632.tif 000011